Podtech/llm-jp-corpus-v4-ja_patent huggingface dataset:
【手続補正書】
【提出日】平成18年3月24日(2006.3.24)
【手続補正１】
【補正対象書類名】特許請求の範囲
【補正対象項目名】全文
【補正方法】変更
【補正の内容】
【特許請求の範囲】
【請求項１】
式Ｉ：
【化１】
2005529875.tif 000001
｛式中、
Ｒ1、Ｒ2およびＲ3は、同一もしくは異なって、水素原子または１〜４個の炭素原子を
有するアルキルであり、そして、
Ｒ4は、６〜９個の炭素原子を有する飽和炭化水素基または式II：
【化２】
2005529875.tif 000002
［式中、
Ｘは、ＳまたはＯであり、
Ｙは、水素原子、または２個までの塩素および／もしくは臭素のようなハロゲン原子であり、
Ｚは、単結合、または、
ａ）Ｏ、
ｂ）Ｓ、
ｃ）−Ｃ（Ｒ5）（Ｒ6）−；（ここで、Ｒ5およびＲ6は、同一もしくは異なって、独立
して、水素原子もしくは（Ｃ1−Ｃ4）−アルキルである）；もしくは
ｄ）鎖状の２〜１０個の炭素を有する他の二価の基であって、これは場合によってさらに１個またはそれ以上の、
ｉ）炭素−炭素二重結合、もしくは
ii）Ｏ、Ｓ、もしくはその混合物（ここで、２個もしくはそれ以上のＯおよび／もしくはＳ原子もしくはその混合物が存在する場合には、それぞれのＯもしくはＳ原子は少なくとも２個の炭素原子で離されている）；
を含有する二価の基であるもの、そして、
上記の二価基のいずれにおいても、該二価基の炭素原子の自由結合価は水素原子、（Ｃ1−Ｃ4）−アルキル、もしくはその混合物で飽和されており；そして
Ａｒは、２個までの環を有する芳香環系であって、フッ素、塩素、臭素、メトキシ、（Ｃ1−Ｃ4）−アルキル、トリフルオロメチルおよびトリフルオロメトキシから成る群から選ばれる３個までの基によって置換されることができる、遊離もしくは塩形態である］の基である｝
の１−ヒドロキシ−２−ピリドンの創傷治癒の医薬を製造するための使用であって、創傷が、擦り傷、火傷、あかぎれ、挫滅、切り傷、糖尿病性下肢潰瘍、裂傷、深い切傷、臓器移植、銃創、切開、焦げ傷、引掻き傷、皮膚火傷、ただれ、圧迫傷、刺し傷、移植、静脈潰瘍または外科もしくは形成外科に伴う傷であり、また、式Ｉの化合物が、局所的に、乳剤、軟膏、溶液、チンキ剤、粉剤、クリームもしくはゲル剤の形態、またはエアロゾール剤もしくは泡剤の形態で投与される、上記の使用。
【請求項２】
式Ｉの化合物のＡｒが、ビフェニル、ジフェニルアルカンまたはジフェニルエーテルから誘導された二環系である、請求項１に記載の使用。
【請求項３】
式Ｉの化合物がＲ4位にシクロヘキシル基を有する、請求項１に記載の使用。
【請求項４】
式Ｉの化合物が、Ｒ4位に式−ＣＨ2−ＣＨ（ＣＨ3）−ＣＨ2−Ｃ（ＣＨ3）3のオクチル基を有する、請求項１に記載の使用。
【請求項５】
式Ｉの化合物が、１−ヒドロキシ−４−メチル−６− [４− (４−クロロフェノキシ) フェノキシメチル]−２−(１Ｈ) ピリドン、１−ヒドロキシ−４−メチル−６−シクロヘキシル−２−(１Ｈ) ピリドン、または、１−ヒドロキシ−４−メチル−６−(２,４,４−トリメチルペンチル)−２−(１Ｈ) ピリドンである、請求項１に記載の使用。
【請求項６】
式Ｉの化合物が、それ自体、または互いの混合物として投与される、請求項１〜５のいずれか１項に記載の使用。
【請求項７】
医薬製剤の中の式Ｉの化合物の用量が、式Ｉの化合物および／またはその生理的に許容できる塩を質量で約０.０５％〜約５％、好ましくは０.５％〜２％、特に好ましくは１％である、請求項１〜６のいずれか１項に記載の使用。
【請求項８】
医薬製剤がさらに、デキスパンテノール、アラントイン、デキストラノマー、もしくはエキナシア（Echinacea）植物の抽出物のような活性成分、またはそれら成分の混合物を
含む、請求項１〜７のいずれか１項に記載の使用。
【手続補正書】
【提出日】平成18年4月3日(2006.4.3)
【手続補正１】
【補正対象書類名】特許請求の範囲
【補正対象項目名】全文
【補正方法】変更
【補正の内容】
【特許請求の範囲】
【請求項１】
サルメテロールまたは製薬上許容されるその塩、フルチカゾンプロピオネート、賦形剤および微粒子形態の誘導体化炭水化物を含む、吸入療法用乾燥粉末医薬組成物。
【請求項２】
サルメテロールがその1-ヒドロキシ-2-ナフトエ酸（キシナホ酸）塩として存在する、請求項１に記載の乾燥粉末医薬組成物。
【請求項３】
前記誘導体化炭水化物が、その炭水化物基の少なくとも1個のヒドロキシル基がエステル結合またはエーテル結合のいずれかを介して疎水性成分で置換された単糖または二糖である、請求項１または２に記載の乾燥粉末医薬組成物。
【請求項４】
前記誘導体化炭水化物が、その炭水化物の少なくとも1個のヒドロキシル基が20個までの炭素原子を含む直線状または分枝状炭化水素鎖で置換されているフルクトース、グルコース、マンニトール、マルトース、マンニトール、トレハロース、セロビオース、ラクトース、およびスクロースから選択される炭水化物である、請求項１〜３のいずれか1項に記載の乾燥粉末医薬組成物。
【請求項５】
前記誘導体化炭水化物が、セロビオースオクタアセテート、スクロースオクタアセテート、グルコースペンタアセテート、マンニトールヘキサアセテート、およびトレハロースオクタアセテートよりなる群から選択される、請求項１〜４のいずれか1項に記載の乾燥粉末医薬組成物。
【請求項６】
前記誘導体化炭水化物がα-Dセロビオースオクタアセテートである、請求項１に記載の乾燥粉末医薬組成物。
【請求項７】
前記誘導体化炭水化物が全組成物の10%未満の濃度で存在する、請求項１〜５のいずれか1項に記載の乾燥粉末医薬組成物。
【請求項８】
前記誘導体化炭水化物が1〜20μmの範囲の空気動力学的サイズを有する、請求項１〜７のいずれか1項に記載の乾燥粉末医薬組成物。
【請求項９】
前記賦形剤の1つの成分が、15μmよりも小さい粒子サイズを有する細かい賦形剤成分であり、かつ前記賦形剤のもう1つの成分が、20μmよりも大きいが150μmよりも小さい粒子サイズを有する粗い賦形剤成分である、請求項１〜８のいずれか1項に記載の乾燥粉末医薬組成物。
【請求項１０】
前記細かいおよび粗い賦形剤成分が両方ともラクトースである、請求項９に記載の乾燥粉末医薬組成物。
【請求項１１】
治療に使用するための、請求項１〜１０のいずれか１項に記載の乾燥粉末医薬組成物。
【請求項１２】
呼吸器障害を治療するための医薬の製造における、請求項１〜１０のいずれか1項に記載の乾燥粉末医薬組成物の使用。
【請求項１３】
請求項１〜１０のいずれか1項に記載の乾燥粉末医薬組成物の入っている吸入器具。
【請求項１４】
前記乾燥粉末医薬組成物が計量済みの単位医薬パックから放出される、請求項１３に記載の吸入器具。
【請求項１５】
吸入器具に使用するための医薬パックであって、長手方向に沿って離間して配置された複数の窪みを有するベースシートと、該ベースシートに気密にしかし剥離可能に封着されて複数の容器を規定するカバーシートと、から形成された細長いストリップを備え、各容器内に請求項１〜１０のいずれか1項に記載の吸入可能な組成物が含まれている、上記医薬パック。
【請求項１６】
前記ストリップが、ロール状に巻き取るのに十分な可撓性を有する、請求項１５に記載の医薬パック。
【請求項１７】
前記カバーシートおよび前記ベースシートが、互いに封着されていない先端部分を有する、請求項１５に記載の医薬パック。
【請求項１８】
前記先端部分の少なくとも一方が、巻取り手段に取り付けられるように構築されている、請求項１７に記載の医薬パック。
【請求項１９】
前記ベースシートと前記カバーシートとの間の気密封着が、それらの幅全体にわたり延在する、請求項１５に記載の医薬パック。
【請求項２０】
前記カバーシートが、前記ベースシートの第1の末端から長手方向に前記ベースシートから剥離可能である、請求項１５に記載の医薬パック。
【請求項２１】
サルメテロールまたは製薬上許容されるその塩およびフルチカゾンプロピオネートを含む乾燥粉末医薬組成物において安定性能を改良するための、微粒子状誘導体化炭水化物の使用。
【請求項２２】
サルメテロールまたは製薬上許容されるその塩およびフルチカゾンプロピオネートを含む乾燥粉末医薬組成物において該組成物の貯蔵時に引き起こされる微粒子用量に及ぼされる有害作用を除去または軽減するための、微粒子状誘導体化炭水化物の使用。
【請求項２３】
前記微粒子状誘導体化炭水化物がセロビオースオクタアセテートである、請求項２１または２２に記載の使用。
【手続補正書】
【提出日】平成18年6月9日(2006.6.9)
【手続補正１】
【補正対象書類名】特許請求の範囲
【補正対象項目名】全文
【補正方法】変更
【補正の内容】
【特許請求の範囲】
【請求項１】
固体物を分配するためのディスペンサーであって、複数の固体物を保持するためのリザーバを具備し、前記リザーバが、再封止可能なスリットと、一つの固体物を保持するための空間に対向して位置決めされたエゼクタとを有する分配ゾーンに連通する、固体物を分配するためのディスペンサーにおいて、
前記分配ゾーンは前記リザーバの下方に配置され、エラストマー材料が軟質可撓性材料から構成され、前記軟質可撓性材料は排出力に応答して前記再封止可能なスリットの方向に変形し、前記エゼクタが前記排出力によって分配ゾーンの中に移動させられ、前記分配ゾーンにおいて前記エゼクタは前記個体物に接触してその個体物を前記軟質可撓性材料に設けられたスリットから外へ押し出し、その際前記エゼクタは、伸長位置にあって、他の任意の個体物が分配ゾーンへ進入することを妨げるように形成されており、前記スリットは、壊れやすい材料から構築されたいたずら証拠シールを備えている、固体物を分配するためのディスペンサー。
【請求項２】
前記再封止可能な開口部が、前記分配ゾーンの第一の側にあり、また前記エゼクタが、前記第一の側とは反対側の、前記分配ゾーンの第二の側にある、請求項１に記載のディスペンサー。
【請求項３】
前記エゼクタが低密度ポリエチレンからなる、請求項２に記載のディスペンサー。
【請求項４】
前記エゼクタの上に延在する比較的硬い部分であって、前記エゼクタと、錠剤が存在することになる前記分配ゾーンにおける空所との間に位置決めされた比較的硬い部分をさらに具備する、請求項１に記載のディスペンサー。
【請求項５】
壊れやすい材料から構築されたいたずら証拠シールが前記開口部に備えられる、請求項１に記載のディスペンサー。
【請求項６】
前記いたずら証拠シールが、前記開口部に壊れやすく接合された円板と、前記円板に接合された十字体とから構成される、請求項５に記載のディスペンサー。
【請求項７】
湿密容器と、アクチュエータと、湿密封止機構とを具備する、固体物を分配するための湿密ディスペンサー。
【請求項８】
前記アクチュエータが、分配ゾーンの第一の側に位置決めされたエゼクタ機構である、請求項７に記載の湿密ディスペンサー。
【請求項９】
前記湿密封止機構が、前記容器の壁に設けられたリップシールである、請求項７に記載の湿密ディスペンサー。
【請求項１０】
前記エゼクタ機構が区画室に位置決めされた、請求項８に記載の湿密ディスペンサーであって、前記エゼクタ機構は作動されたとき柔軟で変形可能な薄膜に接触し、同時に固体物が排出される、湿密ディスペンサー。
【請求項１１】
前記湿密封止機構が、床の開口部から下方に延びる管と、該管に封止可能に係合するドアとを含む、請求項７に記載の湿密ディスペンサー。
【請求項１２】
前記湿密封止機構が、湿密な管と、該管に封止可能に係合するバックストップとである、請求項７に記載の湿密ディスペンサー。
【請求項１３】
前記アクチュエータがバックストップに接合された錠剤エゼクタであり、前記錠剤エゼクタが作動されたとき前記バックストップを前記管から引き離す、請求項１２に記載の湿密ディスペンサー。
【手続補正書】
【提出日】平成18年5月16日(2006.5.16)
【手続補正１】
【補正対象書類名】特許請求の範囲
【補正対象項目名】全文
【補正方法】変更
【補正の内容】
【特許請求の範囲】
【請求項１】
２５〜６０組成重量パーセントの非アジ化物窒素含有ガス発生燃料、
１０〜５５組成重量パーセントの硝酸金属アンミン酸化剤、
２〜１０組成重量パーセントの金属酸化物燃焼速度促進及びスラグ形成添加剤、及び
１〜２０組成重量パーセントの過塩素酸カリウム・ガス発生剤添加剤
を含むガス発生剤組成物。
【請求項２】
該組成物が、過塩素酸カリウム・ガス発生剤添加剤を含まない同様の組成物に比べて改良された着火性を有することを特徴とする請求項１に記載のガス発生剤組成物。
【請求項３】
該組成物が、燃焼したときに、過塩素酸カリウム・ガス発生剤添加剤を含まない同様の組成物を燃焼したときの気体排出物に比べて少ない相対量のＮＯxを有する気体排出物を生ずることを特徴とする請求項１に記載のガス発生剤組成物。
【請求項４】
該組成物が、燃焼したときに、過塩素酸カリウム・ガス発生剤添加剤を含まない同様の組成物を燃焼したときの気体排出物に比べて少ない相対量の一酸化炭素を有する気体排出物を生ずることを特徴とする請求項１に記載のガス発生剤組成物。
【請求項５】
該非アジ化物窒素含有ガス発生燃料が硝酸グアニジンを含むことを特徴とする請求項１に記載のガス発生剤組成物。
【請求項６】
該硝酸金属アンミン酸化剤がジアンミン銅ジナイトレートを含むことを特徴とする請求項１に記載のガス発生剤組成物。
【請求項７】
該金属酸化物燃焼速度促進及びスラグ形成添加剤がＳｉＯ2，Ａｌ2Ｏ3，及びそれらの混合物からなる群から選択されることを特徴とする請求項１に記載のガス発生剤組成物。
【請求項８】
該過塩素酸カリウム・ガス発生剤添加剤が４〜１０組成重量パーセントの量で存在することを特徴とする請求項１に記載のガス発生剤組成物。
【請求項９】
請求項１に記載のガス発生剤組成物を含むシートベルト・プレテンショナー。
【請求項１０】
請求項１に記載のガス発生剤組成物を含む乗員拘束システム装置。
【請求項１１】
２５〜６０組成重量パーセントの硝酸グアニジン、
１０〜５５組成重量パーセントのジアンミン銅ジナイトレート、
２〜１０組成重量パーセントの、ＳｉＯ2，Ａｌ2Ｏ3，及びそれらの混合物からなる群から選択される金属酸化物燃焼速度促進及びスラグ形成添加剤、及び
１〜２０組成重量パーセントの過塩素酸カリウム・ガス発生剤添加剤
を含むガス発生剤組成物。
【請求項１２】
該組成物が、過塩素酸カリウム・ガス発生剤添加剤を含まない同様の組成物に比べて改良された着火性を有することを特徴とする請求項１１に記載のガス発生剤組成物。
【請求項１３】
該組成物が、燃焼したときに、過塩素酸カリウム・ガス発生剤添加剤を含まない同様の組成物を燃焼したときの気体排出物に比べて少ない相対量のＮＯxを有する気体排出物を生ずることを特徴とする請求項１１に記載のガス発生剤組成物。
【請求項１４】
該組成物が、燃焼したときに、過塩素酸カリウム・ガス発生剤添加剤を含まない同様の組成物を燃焼したときの気体排出物に比べて少ない相対量の一酸化炭素を有する気体排出物を生ずることを特徴とする請求項１１に記載のガス発生剤組成物。
【請求項１５】
該過塩素酸カリウム・ガス発生剤添加剤が４〜１０組成重量パーセントの量で存在することを特徴とする請求項１１に記載のガス発生剤組成物。
【請求項１６】
請求項１５に記載のガス発生剤組成物を含むシートベルト・プレテンショナー。
【請求項１７】
２５〜６０組成重量パーセントの硝酸グアニジン、
１０〜５５組成重量パーセントのジアンミン銅ジナイトレート、
２〜１０組成重量パーセントの、ＳｉＯ2，Ａｌ2Ｏ3，及びそれらの混合物からなる群から選択される金属酸化物燃焼速度促進及びスラグ形成添加剤、及び
４〜１０組成重量パーセントの過塩素酸カリウム・ガス発生剤添加剤
を含むシートベルト・プレテンショナー・ガス発生剤組成物。
【請求項１８】
該組成物が、過塩素酸カリウム・ガス発生剤添加剤を含まない同様の組成物に比べて改良された着火性を有することを特徴とする請求項１７に記載のシートベルト・プレテンショナー・ガス発生剤組成物。
【請求項１９】
該組成物が、燃焼したときに、過塩素酸カリウム・ガス発生剤添加剤を含まない同様の組成物を燃焼したときの気体排出物に比べて少ない相対量のＮＯxを有する気体排出物を生ずることを特徴とする請求項１７に記載のシートベルト・プレテンショナー・ガス発生剤組成物。
【請求項２０】
該組成物が、燃焼したときに、過塩素酸カリウム・ガス発生剤添加剤を含まない同様の組成物を燃焼したときの気体排出物に比べて少ない相対量の一酸化炭素を有する気体排出物を生ずることを特徴とする請求項１７に記載のシートベルト・プレテンショナー・ガス発生剤組成物。
【請求項２１】
自動車の乗員拘束システムで用いるのに適当なガス発生方法であって、
２５〜６０組成重量パーセントの非アジ化物窒素含有ガス発生燃料、１０〜５５組成重量パーセントの硝酸金属アンミン酸化剤、２〜１０組成重量パーセントの金属酸化物燃焼速度促進及びスラグ形成添加剤、及び１〜２０組成重量パーセントの過塩素酸カリウム・ガス発生剤添加剤を含む燃料成分を包含する反応物質に直接着火することを含む、方法。
【請求項２２】
該反応物質が、過塩素酸カリウムを含まない同様な組成物に比べて改良された着火性を有することを特徴とする請求項２１に記載の方法。
【請求項２３】
該反応物質が、燃焼したとき、過塩素酸カリウム・ガス発生剤添加剤を含まない同様の組成物を燃焼したときの気体排出物に比べて少ない相対量のＮＯxを有する気体排出物を生ずることを特徴とする請求項２１に記載の方法。
【請求項２４】
該反応物質が、燃焼したとき、過塩素酸カリウム・ガス発生剤添加剤を含まない同様の組成物を燃焼したときの気体排出物に比べて少ない相対量の一酸化炭素を有する気体排出物を生ずることを特徴とする請求項２１に記載の方法。
【請求項２５】
該過塩素酸カリウム・ガス発生剤添加剤が反応物質中に４〜１０組成重量パーセントの量で存在することを特徴とする請求項２１に記載の方法。
【請求項２６】
５０組成重量パーセントまでの量で硝酸アンモニウム補助酸化剤をさらに含むことを特徴とする請求項１に記載のガス発生剤組成物。
【請求項２７】
硝酸アンモニウムを含まないことを特徴とする請求項１に記載のガス発生剤組成物。
【請求項２８】
５０組成重量パーセントまでの量で硝酸アンモニウム補助酸化剤をさらに含むことを特徴とする請求項１１に記載のガス発生剤組成物。
【請求項２９】
硝酸アンモニウムを含まないことを特徴とする請求項１１に記載のガス発生剤組成物。
【請求項３０】
５０組成重量パーセントまでの量で硝酸アンモニウム補助酸化剤をさらに含むことを特徴とする請求項１７に記載のシートベルト・プレテンショナー・ガス発生剤組成物。
【請求項３１】
硝酸アンモニウムを含まないことを特徴とする請求項１７に記載のシートベルト・プレテンショナー・ガス発生剤組成物。
【請求項３２】
燃料成分が、５０組成重量パーセントまでの量で硝酸アンモニウム補助酸化剤をさらに含むことを特徴とする請求項２１に記載の方法。
【請求項３３】
燃料成分が、硝酸アンモニウムを含まないことを特徴とする請求項２１に記載の方法。
【手続補正書】
【提出日】平成18年4月26日(2006.4.26)
【手続補正１】
【補正対象書類名】特許請求の範囲
【補正対象項目名】請求項８
【補正方法】変更
【補正の内容】
【請求項８】
接合部位を１５００℃〜１９００℃の温度に加熱する、請求項１記載の方法。
【手続補正書】
【提出日】平成18年5月15日(2006.5.15)
【手続補正１】
【補正対象書類名】特許請求の範囲
【補正対象項目名】全文
【補正方法】変更
【補正の内容】
【特許請求の範囲】
【請求項１】
クローン病を患うヒト患者の治療用の、少なくとも４mg／kgの投与量で使用される、インターフェロンγに対する抗体を含む医薬組成物であって、当該抗体は、インターフェロンγを中和し、かつ、配列番号１を含むＶL 領域と配列番号２を含むＶH 領域を含む抗体と同一のエピトープに、少なくとも１０8Ｍ-1のアフィニティーで、結合する、前記医薬組成物。
【請求項２】
前記投与量は４〜１０mg／kgである、請求項１に記載の医薬組成物。
【請求項３】
前記抗体はヒト化抗体である、請求項１に記載の医薬組成物。
【請求項４】
前記ヒト化抗体はＨｕＺＡＦである、請求項３に記載の医薬組成物。
【請求項５】
前記抗体は、少なくとも１０9Ｍ-1のヒト・インターフェロンγについての結合アフィニティーをもつ、請求項１に記載の医薬組成物。
【請求項６】
前記患者に静脈内、筋肉中、又は皮下投与される、請求項１に記載の医薬組成物。
【請求項７】
前記投与量は、約３０分間〜約６０分間の期間にわたり単一静脈内輸注として投与される、請求項１に記載の医薬組成物。
【請求項８】
前記投与量は、毎月、６週毎、又は２〜３月後に投与される、請求項１に記載の医薬組成物。
【請求項９】
前記投与後約２８日目に、前記抗体の４〜１０mg／体重１kgの第２投与量を投与する際に使用するための、請求項１に記載の医薬組成物。
【請求項１０】
前記第２投与の量は、前記第１投与量の約５０％である、請求項１に記載の医薬組成物。
【請求項１１】
前記第２投与量は、皮下注射を通じて投与される、請求項１０に記載の医薬組成物。
【請求項１２】
前記第１投与量と第２投与量の投与は、少なくとも１００ポイント、前記ヒト患者のＣＤＡＩスコアを低下させる、請求項１に記載の医薬組成物。
【請求項１３】
各々４〜１０mg／kgの２つの投与量から成る一連の処置を投与する際に使用するための、かつ、当該使用により、前記ヒト患者のＣＤＡＩスコアが少なくとも１００ポイント、低減される、請求項１に記載の医薬組成物。
【手続補正書】
【提出日】平成18年4月20日(2006.4.20)
【手続補正１】
【補正対象書類名】特許請求の範囲
【補正対象項目名】全文
【補正方法】変更
【補正の内容】
【特許請求の範囲】
【請求項１】
i)ベータ-2アドレナリン受容体アゴニスト;および、
ii) グルコサミン、マンノサミン、その塩および誘導体からなる群から選択されるアミノ糖、ここで、その誘導体は、アミノ糖のアミノ基および/またはヒドロキシル基がアルキル化、アリール化、またはアシル化されている誘導体からなる群から選択され、かつアノマーの、2-、3-、4-、または6-位が硫酸化またはリン酸化されているアミノ糖である、
を含む化学複合体。
【請求項２】
ベータ-2アドレナリン受容体アゴニストが、バンブテロール、ビトルテロール、ブロキサテロール、カルブテロール、クレンブテロール、クロルプレナリン、ジオキセテドリン、ドペキサミン、エフェドリン、エピネフリン、エタフェドリン、エチルノルエピネフリン、フェノテロール、フォルモテロール、ヘキソプレナリン、イソエタリン、イソプロテレノール、マブテロール、メタプロテレノール、メトキシフェナミンオルシプレナリン、ピルブテロール、プロカテロール、プロトキロール、レプロテロール、リミテロール、リトドリン、サルブタモール、サルメテロール、ソテレノール、テルブタリン、トレトキノール、ツロブテロール、それらの誘導体および塩からなる群から選択される請求項１の化学複合体。
【請求項３】
アミノ糖がグルコサミン塩酸塩またはグルコサミン硫酸塩である請求項１または２のいずれかの化学複合体。
【請求項４】
ベータ-2アドレナリン受容体アゴニストが、サルブタモール硫酸塩、テルブタリン硫酸塩またはフォルモテロールフマル酸塩二水和物である請求項１〜３いずれかの化学複合体。
【請求項５】
i)ベータ-2アドレナリン受容体アゴニスト;
ii) グルコサミン、マンノサミン、その塩および誘導体からなる群から選択されるアミノ糖、ここで、その誘導体は、アミノ糖のアミノ基および/またはヒドロキシル基がアルキル化、アリール化、またはアシル化されている誘導体からなる群から選択され、かつ、アノマーの、2-、3-、4-、または6-位が硫酸化またはリン酸化されているアミノ糖である；および、
iii) １以上の許容される賦形剤または担体、
を含む組成物。
【請求項６】
ベータ-2アドレナリン受容体アゴニストが、バンブテロール、ビトルテロール、カルブテロール、クレンブテロール、クロルプレナリン、ジオキセテドリン、ドペキサミン、エフェドリン、エピネフリン、エタフェドリン、エチルノルエピネフリン、フェノテロール、フォルモテロール、ヘキソプレナリン、イソエタリン、イソプロテレノール、マブテロール、メタプロテレノール、メトキシフェナミン、ピルブテロール、プロカテロール、プロトキロール、レプロテロール、リミテロール、リトドリン、サルブタモール、サルメテロール、ソテレノール、テルブタリン、トレトキノール、ツロブテロール、それらの誘導体および塩からなる群から選択される請求項５の組成物。
【請求項７】
アミノ糖がグルコサミン塩酸塩またはグルコサミン硫酸塩である請求項５または６いずれかの組成物。
【請求項８】
ベータ-2アドレナリン受容体アゴニストがサルブタモール硫酸塩、テルブタリン硫酸塩またはフォルモテロールフマル酸塩二水和物である請求項５〜７いずれかの組成物。
【請求項９】
ベータ-2アドレナリン受容体アゴニストおよびアミノ糖が、請求項１〜４のいずれかの化学複合体の形態である請求項５の組成物。
【請求項１０】
さらにベータ-2アドレナリン受容体アゴニストとアミノ糖以外の１以上の治療上活性な薬剤を含む請求項５〜９いずれかの組成物。
【請求項１１】
経口製剤、局所製剤、経皮製剤、および非経口製剤からなる群から選択される形態の請求項５〜１０いずれかの組成物。
【請求項１２】
哺乳類における過敏症および／または炎症反応の抑制のためのベータ-2アドレナリン受容体アゴニストおよびアミノ糖の組み合わせを含む医薬組成物、ここで該アミノ糖はグルコサミン、マンノサミン、その塩および誘導体からなる群から選択され、その誘導体は、アミノ糖のアミノ基および/またはヒドロキシル基がアルキル化、アリール化、またはアシル化されている誘導体からなる群から選択され、かつ、アノマーの、2-、3-、4-、または6-位が硫酸化またはリン酸化されているアミノ糖である。
【請求項１３】
過敏性皮膚疾患の治療のための請求項１２の医薬組成物。
【請求項１４】
過敏性皮膚疾患が、アトピー性湿疹、接触性皮膚炎、脂漏性湿疹および/または乾癬からなる群から選択される請求項１３の医薬組成物。
【請求項１５】
自己免疫疾患の治療のための請求項１２の医薬組成物。
【請求項１６】
自己免疫疾患が、自己免疫肝炎、原発性胆汁性肝硬変、原発性硬化性胆管炎、自己免疫溶血性貧血、グレーブス病、重症筋無力症、１型糖尿病、炎症性筋障害、多発性硬化症、橋本甲状腺炎、自己免疫副腎炎、クローン病、潰瘍性大腸炎、糸球体腎炎、全身性進行性硬化症 (強皮症)、シェーグレン症候群、エリトマトーデス、原発性血管炎、関節リウマチ、若年性関節炎、混合結合組織疾患、乾癬、天疱瘡、類天疱瘡、および疱疹状皮膚炎からなる群から選択される請求項１５の医薬組成物。
【請求項１７】
IgE媒介反応の治療のための請求項１２の医薬組成物。
【請求項１８】
喘息、アレルギー性鼻炎、および/またはアナフィラキシーの治療のための請求項１７の医薬組成物。
【請求項１９】
請求項５〜１１のいずれかの組成物である、請求項１２〜１８のいずれかの医薬組成物。
【請求項２０】
請求項１〜４のいずれかの化学複合体を含む、請求項１２〜１８のいずれかの医薬組成物。
【請求項２１】
ベータ-2アドレナリン受容体アゴニストとアミノ糖とがともに単一製剤に含まれるかあるいはそれぞれが別々の製剤に含まれる請求項１２〜２０のいずれかの医薬組成物。
【請求項２２】
哺乳類がヒトである請求項１２〜２１のいずれかの医薬組成物。
【手続補正書】
【提出日】平成18年4月11日(2006.4.11)
【手続補正１】
【補正対象書類名】特許請求の範囲
【補正対象項目名】全文
【補正方法】変更
【補正の内容】
【特許請求の範囲】
【請求項１】
空気動力学的直径の質量中央値（ＭＭＡＤ）が１０μｍ未満である粒状活性物質を非溶媒ハイドロフルオロカーボン流体ビヒクル中に０．５％ｗ／ｖ以上の濃度で懸濁させて含むエアロゾル製剤。
【請求項２】
前記粒状活性物質が５μｍ未満のＭＭＡＤを有する、請求項１に記載のエアロゾル製剤。
【請求項３】
前記粒状活性物質の前記ビヒクル中の濃度が０．５〜１．５％ｗ／ｖである、請求項１又は２に記載のエアロゾル製剤。
【請求項４】
前記流体ビヒクルが、１，１，１，２−テトラフルオロエタン（ＨＦＡ１３４ａ）又は１，１，１，２，３，３，３−ヘプタフルオロプロパン（ＨＦＡ２２７ｅａ）又はそれらの混合物である、請求項１〜３のいずれか１項に記載のエアロゾル製剤。
【請求項５】
前記活性物質が吸入による送達に適した医薬的に活性な物質又は栄養補給活性物質である、請求項１〜４のいずれか１項に記載のエアロゾル製剤。
【請求項６】
分散を促進する又は安定化する添加剤又は共溶媒又は潤滑性増強添加剤を全く又は実質的に全く含まない、請求項１〜５のいずれか１項に記載のエアロゾル製剤。
【請求項７】
定量噴霧式吸入器を用いて一連の等しい体積の投薬として送達されたとき、または一連の等しい体積の投薬としてカスケード・インパクターに送達されたとき、以下の結果、すなわち：
a）各投薬で送達される活性物質の量の相対標準偏差RSD(すなわち、平均値のパーセンテージとして表された標準偏差)が引き続く１００回の投薬で１５％以下である；
b）送達された投薬の微粒子含有量（MMADが微粒子領域、＜３．５μｍ、にある送達された活性物質の量）のRSDが引き続く１００回の投薬で１５％以下である；
c）各投薬に含まれる微粒子比率（すなわち、MMADが微粒子領域にある活性物質の量を当該投薬における活性物質の総量のパーセンテージとして表したもの）のRSDが引き続く１００回の投薬で１７％以下である；
d）各投薬に含まれる活性物質粒子のMMADのRSDが引き続く１００回の投薬で９．５％以下である；
e）各投薬に含まれる微粒子比率が引き続く１００回の投薬で少なくとも２５％である；
f）各投薬で送達される粒子のMMADが引き続く１００回の投薬にわたって４μｍ以下である；
の１つ以上を与える、請求項１〜６のいずれか１項に記載のエアロゾル製剤。
【請求項８】
２５℃及び相対湿度６０％で少なくとも１２ヶ月の期間貯蔵した後でも結果（ａ）から（ｆ）までの１つ以上を与える、請求項７に記載のエアロゾル製剤。
【請求項９】
前記流体ビヒクルが、１，１，１，２−テトラフルオロエタン（ＨＦＡ１３４ａ）又は１，１，１，２，３，３，３−ヘプタフルオロプロパン（ＨＦＡ２２７ｅａ）であり、前記活性物質とビヒクルを混合してから１０分後に４０％以上の凝集体積を示す、請求項１〜８のいずれか１項に記載のエアロゾル製剤。
【請求項１０】
前記流体ビヒクルが、１，１，１，２−テトラフルオロエタン（ＨＦＡ１３４ａ）又は１，１，１，２，３，３，３−ヘプタフルオロプロパン（ＨＦＡ２２７ｅａ）であり、前記活性物質の濃度が１％ｗ／ｖであり、前記活性物質とビヒクルの十分な混合の後最初の１２０秒間に示す凝集体積の変化（減少）率が毎分１０％以下である、請求項１〜９のいずれか１項に記載のエアロゾル製剤。
【請求項１１】
前記活性物質が固体粒子の形態である、請求項１〜１０のいずれか１項に記載のエアロゾル製剤。
【請求項１２】
前記活性物質が結晶の形態である、請求項１〜１１のいずれか１項に記載のエアロゾル製剤。
【請求項１３】
前記活性物質が結晶の形態であり、１つの寸法（dimension）が少なくとも１つの他の寸法（dimension）よりも顕著に長い結晶の形態である、請求項１２に記載のエアロゾル製剤。
【請求項１４】
前記活性物質が含む残留溶媒が２００ｐｐｍ未満である、請求項１〜１３のいずれか１項に記載のエアロゾル製剤。
【請求項１５】
前記活性物質が肺を介して全身に送達するのに適している、請求項１〜１４のいずれか１項に記載のエアロゾル製剤。
【請求項１６】
前記活性物質が、流体キャリア中の前記活性物質の溶液又は懸濁液（“標的溶液／懸濁液”）に圧縮流体貧溶媒を、前記貧溶媒が前記標的溶液／懸濁液から流体キャリアを抽出し、前記活性物質の粒子を析出させることを可能にする条件の下で接触させることによって調製された、請求項１〜１５のいずれか１項に記載のエアロゾル製剤。
【請求項１７】
前記活性物質が、流体キャリア中の前記活性物質の溶液又は懸濁液（“標的溶液／懸濁液”）に圧縮流体貧溶媒を、前記貧溶媒が前記標的溶液／懸濁液から流体キャリアを抽出し、同時に、前記活性物質の粒子を析出させるように前記標的溶液／懸濁液を分散させることを可能にする条件の下で接触させることによって調製された、請求項１６に記載のエアロゾル製剤。
【請求項１８】
前記流体ビヒクルが、１，１，１，２−テトラフルオロエタン（ＨＦＡ１３４ａ）又は１，１，１，２，３，３，３−ヘプタフルオロプロパン（ＨＦＡ２２７ｅａ）であり、前記活性物質粒子の空気動力学的直径の質量中央値（ＭＭＡＤ）が２５℃及び相対湿度６０％での３ヶ月以上の貯蔵期間にわたって１０％以下しか変動しない、請求項１〜１７のいずれか１項に記載のエアロゾル製剤。
【手続補正書】
【提出日】平成18年4月11日(2006.4.11)
【手続補正１】
【補正対象書類名】特許請求の範囲
【補正対象項目名】全文
【補正方法】変更
【補正の内容】
【特許請求の範囲】
【請求項１】
一般式1の化合物。
【化１】
2005529110.tif 000001
（式中、
X-は、負の電荷を１個有するアニオンを示し、
A及びBは、同種でも異種でもよい-O、-S、-NH、-CH2、-CH=CH、-N(C1-C4-アルキル)-を示し、
R は、水素、ヒドロキシ、-C1-C4-アルキル、-C1-C4-アルキロキシ、-C1-C4-アルキレン-ハロゲン、-O-C1-C4-アルキレン-ハロゲン、-C1-C4-アルキレン-OH、-CF3、CHF2、-C1-C4-アルキレン-C1-C4-アルキロキシ、-O-COC1-C4-アルキル、-O-COC1-C4-アルキレン-ハロゲン、-C1-C4-アルキレン-C3-C6-シクロアルキル、-O-COCF3またはハロゲンを示し、
R1及びR2は、同種でも異種でもよいが、任意に-C3-C6-シクロアルキル、ヒドロキシまたはハロゲンで置換された-C1-C5-アルキルを示すか、
または
R1及びR2は一緒に-C3-C5-アルキレン-架橋を示し、
R3、R4、R3'及びR4'は、同種でも異種でもよいが、水素、C1-C4-アルキル、C1-C4-アルキロキシ、ヒドロキシ、-CF3、-CHF2、CN、NO2またはハロゲンを示し、
RX及びRX'  は、同種でも異種でもよいが、水素、C1-C4-アルキル、C1-C4-アルキロキシ、ヒドロキシ、-CF3、-CHF2、CN、NO2またはハロゲンを示すか、
または
RX及びRX'は一緒に単結合または-O、-S、-NH、-CH2、-CH2-CH2-、-N(C1-C4-アルキル)-、-CH(C1-C4-アルキル)-及び-C(C1-C4-アルキル)2から選択された架橋基を示す。）
【請求項２】
前記一般式1の化合物において、
式中の、
X-が、塩化物、臭化物、4-トルエンスルホネート及びメタンスルホネートから選択された負の電荷を１個有するアニオンを示し、
A及びBが、同種でも異種でもよいが、-O、-S、-NHまたは-CH=CH-を示し、
R が、水素、ヒドロキシ、-C1-C4-アルキル、-C1-C4-アルキロキシ、-CF3、-CHF2、フッ素、塩素または臭素を示し、
R1及びR2が、同種でも異種でもよいが、任意にヒドロキシ、フッ素、塩素または臭素で置換されたC1-C4-アルキルを示すか、
または
R1及びR2が一緒に-C3-C4-アルキレン-架橋を示し、
R3、R4、R3'及びR4'が、同種でも異種でもよいが、水素、C1-C4-アルキル、C1-C4-アルキロキシ、ヒドロキシ、-CF3、-CHF2、CN、NO2、フッ素、塩素または臭素を示し、
RX及びRX'  が、同種でも異種でもよいが、水素、C1-C4-アルキル、C1-C4-アルキロキシ、ヒドロキシ、-CF3、-CHF2、CN、NO2、フッ素、塩素または臭素を示すか、または
RX及びRX'が一緒に単結合または-O、-S、-NH-及び-CH2-から選択された架橋基を示す、
請求項１記載の化合物。
【請求項３】
前記一般式1の化合物において、
式中の、
X-が、塩化物、臭化物及びメタンスルホネートから選択された負の電荷を１個有するアニオンを示し、
A及びBが、同種でも異種でもよいが、-Sまたは-CH=CH-を示し、
R が、水素、ヒドロキシ、メチル、エチル、メトキシ、エトキシ、-CF3、またはフッ素を示し、
R1及びR2が、同種でも異種でもよいが、メチル、エチル、-CH2Fまたは-CH2-CH2Fを示し、
R3、R4、R3'及びR4'が、同種でも異種でもよいが、水素、メチル、メトキシ、-CF3またはフッ素を示し、
RX及びRX'  が、同種でも異種でもよいが、水素、メチル、メトキシ、-CF3またはフッ素を示すか、
または
RX及びRX'が一緒に単結合または架橋基-O-を示す、
請求項１または２記載の化合物。
【請求項４】
前記一般式1の化合物において、
式中の、
X-が、塩化物、臭化物及びメタンスルホネートから選択された負の電荷を１個有するアニオンを示し、
A及びBが、同種でも異種でもよいが、-Sまたは-CH=CH-を示し、
R が、水素、ヒドロキシまたはメチルを示し、
R1及びR2が、同種でも異種でもよいが、メチルまたはエチルを示し、
R3、R4、R3'及びR4'が、同種でも異種でもよいが、水素、-CF3またはフッ素を示し、
RX及びRX'  が、同種でも異種でもよいが、水素、-CF3またはフッ素を示すか、または
RX及びRX'が一緒に単結合または架橋基-Oを示す、
請求項１乃至３のいずれかに記載の化合物。
【請求項５】
前記一般式1の化合物において、
式中の、
X-が、臭化物を示し、
A及びBが、同種でも異種でもよいが、-Sまたは-CH=CH-を示し、
R が、水素、ヒドロキシまたはメチルを示し、
R1及びR2が、メチルを示し、
R3、R4、R3'及びR4'が、同種でも異種でもよいが、水素またはフッ素を示し、
RX及びRX'  が、同種でも異種でもよいが、水素またはフッ素を示すか、または
RX及びRX'が一緒に単結合または架橋基-Oを示す、
請求項１乃至４のいずれかに記載の化合物。
【請求項６】
任意に個々の光学異性体、個々のエナンシオマーの混合物またはそのラセミ化合物の形並びに任意に薬理学的に許容しうるその酸添加塩の形である請求項１乃至５のいずれかに記載の一般式1の化合物。
【請求項７】
製薬組成物としての請求項１乃至６のいずれかに記載の一般式1の化合物の使用。
【請求項８】
抗コリン作用薬が治療の利益を発現させうる病気の治療用の製薬組成物を調製するための請求項１乃至６のいずれかに記載の一般式1の化合物の使用。
【請求項９】
喘息、慢性閉塞性肺疾患、迷走神経により誘導された洞性徐脈、心拍疾患、胃腸管における痙攣、尿路における痙攣及び生理痛の治療用の製薬組成物を調製するための請求項１乃至６のいずれかに記載の一般式1の化合物の使用。
【請求項１０】
活性物質として１種以上の請求項１乃至６のいずれかに記載の一般式1の化合物または生理学的に許容しうるその塩を任意に従来の賦形剤及び／またはキャリヤーと組み合わせて含む医薬品。
【請求項１１】
１種以上の一般式1の化合物の他に、β-擬態物質、抗アレルギー性物質、ドーパミン作用薬、PAF拮抗薬、PDE-IV阻害物質、ロイコトリエン拮抗薬、p38キナーゼ阻害物質、EGFRキナーゼ阻害物質及びコルチコステロイド並びにそれらの活性物質の組合せから選択された１種以上のその他の活性物質を含む請求項１０記載の医薬品。
【請求項１２】
任意にその酸添加塩の形である一般式4の中間体生成物。
【化２】
2005529110.tif 000002
（式中、A、B、R、R1、R3、R3'、R4、R4'、RX及びRX'基は、請求項１乃至５記載の意味を有する。）
【請求項１３】
請求項１２記載の式4の化合物を調製するための、任意にその酸添加塩の形である一般式2の化合物の使用。
【化３】
2005529110.tif 000003
（式中、R1は、請求項１乃至５記載の意味を有する。）
【手続補正書】
【提出日】平成18年3月30日(2006.3.30)
【手続補正１】
【補正対象書類名】特許請求の範囲
【補正対象項目名】全文
【補正方法】変更
【補正の内容】
【特許請求の範囲】
【請求項１】
フォルモテロールの粒子またはその薬学的に許容される塩、溶媒和化合物またはその生理学的機能性誘導体と、
式（Ｉ）の化合物：
【化１】
2005529102.tif 000001
（式中、Ｒ1は、１−ブチル、２−ブチル、シクロヘキシルまたはフェニルであり、Ｒ2は、アセチルまたはイソブタノイルである）と、１，１，１，２−テトラフルオロエタン、１，１，１，２，３，３，３−ヘプタフルオロプロパンおよびその混合物から選択される噴射剤と、を含有するエアロゾル医薬製剤であって、前記粒子が前記製剤中に懸濁されており、式（Ｉ）の前記化合物が前記製剤中に溶解されているエアロゾル医薬製剤。
【請求項２】
式（Ｉ）の前記化合物がシクレソニドである、請求項１に記載のエアロゾル医薬製剤。
【請求項３】
前記製剤がエタノールを前記製剤の３〜２０重量％の量でさらに含有する、請求項２に記載のエアロゾル医薬製剤。
【請求項４】
前記製剤が、１ミクロン未満の質量中央径を有する充填剤をさらに含有する、請求項１〜３のいずれか一項に記載のエアロゾル医薬製剤。
【請求項５】
ディスペンスバルブを備えたエアロゾルバイアルを含むディスペンサーであって、前記エアロゾルバイアルが請求項１〜４のいずれか一項に記載の製剤を含有するディスペンサー。
【請求項６】
前記エアロゾルバイアルの内面が、フルオロカーボンポリマーを含有するコーティングでコートされている、請求項５に記載のディスペンサー。
【手続補正書】
【提出日】平成18年6月9日(2006.6.9)
【手続補正１】
【補正対象書類名】特許請求の範囲
【補正対象項目名】全文
【補正方法】変更
【補正の内容】
【特許請求の範囲】
【請求項１】
コルチコトロフ（corticotroph）−由来の糖タンパク質ホルモン（CGH）ポリペプチドを含んで成る、炎症を治療するための医薬組成物。
【請求項２】
CGHポリペプチドを含んで成る、炎症を軽減するための医薬組成物。
【請求項３】
CGHポリペプチド、及び１又は複数のグルココルチコイドを含んで成る、炎症を治療するための医薬組成物。
【請求項４】
CGHポリペプチド、及び１又は複数のグルココルチコイドを含んで成る、炎症を軽減するための医薬組成物。
【請求項５】
CGHポリペプチドを含んで成る、炎症をチ労するための医薬組成物であって、前記ポリペプチドの投与がグルココルチコイド処理の代替として使用され、そして前記ポリペプチドの投与が哺乳類の炎症状態の臨床的に有意な改良をもたらし、又はグルココルチコイド−誘発された副作用の予防又は軽減をもたらすことを特徴とする医薬組成物。
【請求項６】
前記CGHポリペプチドが、配列番号３で示されるようなアミノ酸配列、及び配列番号６で示されるようなアミノ酸配列を含んで成るヘテロダイマーを形成する請求項1, 2, 3, 4又は5記載の医薬組成物。
【請求項７】
ａ）痛みの軽減又は阻害；
ｂ）腫張の軽減又は阻害；
ｃ）赤みの軽減又は阻害；
ｄ）発熱の軽減又は阻害；及び
ｅ）機能の損失の軽減又は阻害；
から成る群から選択される炎症状態の臨床学的に有意な改良をもたらす請求項1, 2, 3, 4又は5記載の医薬組成物。
【請求項８】
前記炎症が急性又は慢性である請求項1, 2, 3, 4又は5記載の医薬組成物。
【請求項９】
慢性関節リウマチ、全身性エリテマトーデス、結節性多発性動脈炎、ヴェーゲナー肉芽腫、側頭動脈炎、腎臓疾患、アレルギー疾患、喘息、慢性閉塞性肺疾患、慢性気管支炎、肺気腫、乾癬、炎症性腸疾患、潰瘍性大腸炎、クローン疾病、慢性活性肝炎、アルコール性肝障害、肝障害、非アルコール性脂肪肝病、急性リンパ性白血病、リンパ腫、類肉腫症、血小板減少症、自己免疫溶血性貧血、臓器移植、卒中、脊髄損傷、薬物反応、蕁麻疹、亜急性肝壊死、多発性骨髄腫、特発性血小板減少性紫斑病、後天性溶血性貧血、及び悪性高熱から成る群から選択された疾病を治療するための請求項1, 2, 3, 4又は5記載の医薬組成物。
【請求項１０】
前記炎症が、呼吸器官、表皮、胃腸管又は肝臓に位置する請求項1, 2, 3, 4又は5記載の医薬組成物。
【請求項１１】
前記CGHポリペプチドによる治療が、グルココルチコイド−誘発性副作用を妨げるか又は軽減する請求項２又は４記載の医薬組成物。
【請求項１２】
前記グルココルチコイド−誘発性副作用が、副腎皮質の抑圧、骨粗鬆症、骨壊死、ステロイド誘発性カタラクタ、ステロイド誘発性肥満治療、コルチコイド誘発性精神病、消化管出血、胸腺萎縮、及び良性頭蓋内圧亢進症から成る群から選択される請求項10記載の医薬組成物。
【請求項１３】
記載CGH及びグルココルチコイドが、同時に又は連続的に投与される請求項２又は４記載の医薬組成物。
【請求項１４】
前記グルココルチコイドが、短期作用性、中期作用性又は長期作用性である請求項２又は４記載の医薬組成物。
【請求項１５】
前記グルココルチコイドが、アルクロメタゾンジプロピオネート、アムシノニド、ベクロメタゾンジプロピオネート、ベタメタゾン、安息香酸ベタメタゾン、ベタメタゾンジプロピオネート、ベタメタゾンナトリウム、吉草酸ベタメタゾン、プロピオン酸クロベタゾール、クロコルトロンピバレート、ヒドロコルチゾン、酢酸ヒドロコルチゾン、ヒドロコルチゾン酪酸塩、ヒドロコルチゾンシピオネート、リン酸ナトリウム・ヒドロコルチゾン、コハク酸ヒドロコルチゾンナトリウム、ヒドロコルチゾン吉草酸塩、酢酸コルチゾン、デソニド、デソキシメタゾン、デキサメタゾン、酢酸デキサメタゾン、 デキサメタゾンナトリウム、酢酸ジフロラゾン、酢酸フルドロコルチゾン、フルニソリド、フルオシノロンアセトニド、フルオシノニド、フルオロメトロン、フルランドレノイド、ハルシノニド、メドリゾン、メチルプレドニゾロン、酢酸メチルプレドニゾロン、メチルプレドニゾロンナトリウム、モメタゾンフルオエート、酢酸パラメタゾン、プレドニゾロン、酢酸プレドニゾロン、プレドニゾロンリン酸ナトリウム、プレドニゾロンテブテート、プレドニソン、トリアムシノロン、トリアムシノロンアセトニド、二酢酸トリアムシノロン、及びトリアムシノロンヘキサセトニドから成る群から選択される請求項２又は４記載の医薬組成物。
【請求項１６】
前記ポリペプチドの投与が、前炎症性指標の低下をもたらす請求項1, 2, 3又は4記載の医薬組成物。
【請求項１７】
前記炎症性指標が、前炎症性サイトカイン又は炎症関連好中球浸潤の血清レベルにより測定される請求項15記載の医薬組成物。
【請求項１８】
ペプチド−受容体複合体の形成方法であって、
固定された受容体を供給し；そして
前記受容体とペプチドとを接触せしめ、ここで前記ペプチドが配列番号３で示されるようなアミノ酸配列を含んで成り、そして前記受容体がTSHRであり；
それにより、前記受容体が前記ペプチドを結合することを含んで成る方法。
【請求項１９】
細胞培養上清液内に含まれるCGHの精製方法であって、
前記CGH含有上清液を、カチオン交換樹脂を含むクロマトグラフィーカラムに、前記CGHが前記カチオン交換樹脂に結合する条件下で適用し；
前記カチオン交換樹脂からCGHを溶出し、そしてCGH−含有プールを捕獲し；
前記CGH−含有プールを、疎水性相互作用樹脂を含むクロマトグラフィーカラムに、前記CGHが前記疎水性相互作用樹脂に結合する条件下で適用し；
前記疎水性相互作用樹脂からCGHを溶出し、そしてCGH−含有プールを捕獲し；
前記CGH−含有プールをサイズ排除カラムに適用し、そして前記サイズ排除樹脂からCGHを溶出し、そしてCGH−含有プールにおけるCGHを捕獲することを含んで成る方法。
【手続補正書】
【提出日】平成18年6月8日(2006.6.8)
【手続補正１】
【補正対象書類名】明細書
【補正対象項目名】００８１
【補正方法】変更
【補正の内容】
【００８１】
さらに、組成物Ｆ〜Ｋを、組成物ＡおよびＤと同様に製造するが、ただし異なる量のケトチフェン水素フマル酸塩（ザジテン）、すなわちそれぞれ６.７５、１２.５および２０％の割合で添加する。生成した層は、６.７５および１２.５％の薬剤（それぞれＦおよびＩおよびＧおよびＪ）により良好で均等内容の評点を示す。フィルムに４０ｍｇ（２０％）のザジテンを添加すると（Ｈ、Ｋ）、結晶構造の存在がＤ−マンニトールに基いたフィルムで見出される。恐らくはＱＡＣＤ化合物および薬剤間におけるある種の相互作用故に、この再結晶化はＱＡ−ベータ−ＣＤの存在下では起こらない。
【手続補正２】
【補正対象書類名】明細書
【補正対象項目名】００８４
【補正方法】変更
【補正の内容】
【００８４】
【表１０】
2005529175.tif 000001
【表１１】
2005529175.tif 000002
【手続補正書】
【提出日】平成18年3月24日(2006.3.24)
【手続補正１】
【補正対象書類名】特許請求の範囲
【補正対象項目名】請求項１７
【補正方法】変更
【補正の内容】
【請求項１７】
第１の列が基Ｒ1に対応し、この基が以下の基：
イソプロピル；
アリルオキシカルボニルプロピオニル；
から選ばれ、
第２の列が基Ｒ2に対応し、この基が以下の基：
ジアゾメタン；
ピリジン−２，５−ジカルボン酸２−メチルエステル；
３−ピリジン−２−イル−４，５−ジヒドロイソオキサゾール−５−カルボン酸；
（５−メチル−２，４−ジオキソ−３，４−ジヒドロ−２Ｈ−ピリミジン−１−イル）酢酸；
２−ピラジンカルボン酸；
[４−（２−オキソ−２−ピロリジン−１−イルエチル）ピペラジン−１−イル]酢酸；
安息香酸；
２−ピリジンカルボン酸；
３−（１Ｈ−イミダゾール−４−イル）アクリル酸；
３−ピリジン−２−イルアクリル酸；
５−メチル−２−ピラジンカルボン酸；
５−メチル−４−イソオキサゾールカルボン酸；
１−イソキノリンカルボン酸；
ベンゾ[１，２，５]オキサジアゾール−５−カルボン酸；
５−イソオキサゾールカルボン酸；
チオフェン−３−イル酢酸；
２，５−ジクロロ安息香酸；
塩素；
３−キノリンカルボン酸；
５−シアノニコチン酸；
６−メチルニコチン酸；
３−ピリミジン−２−イルプロピオン酸；
１Ｈ−インドール−５−カルボン酸；
２−ピリジン−３−イルフラン−３−カルボン酸；
４′−エチルビフェニル−４−カルボン酸；
ピリジン−２，４−ジカルボン酸２−メチルエステル；
５−ブロモニコチン酸；
ヒドロキシル；
２−メチル−４−オキソ−１，２，３，４−テトラヒドロキナゾリン−２−カルボン酸；
５−メチル−１Ｈ−ピラゾール−３−カルボン酸；
３−（シアノメチルメチル）安息香酸；
５−ヒドロキシメチルイソオキサゾール−３−カルボン酸；
４−フルオロ−２−メチル安息香酸；
４−オキソ−４−チオフェン−２−イル酪酸；
４−（４−ｔｅｒｔ−ブトキシカルボニルアミノピペリジン−１−イル）−４−オキソブタ−２−エン酸；
３−（４−ｔｅｒｔ−ブトキシカルボニルアミノフェニル）アクリル酸；
（４−ブトキシフェノキシ）酢酸；
３−ベンゾイミダゾール−１−イル−３−フェニルアクリル酸；
４−オキソ−１，２，３，４−テトラヒドロナフタレン−２−カルボン酸；
２−チオフェン−２−イルプロピオン酸；
プロピン酸；
から選ばれ、
基Ｒ3がイソバレリルである、請求項１６に記載のコンビナトリアル・ライブラリー。
【手続補正２】
【補正対象書類名】明細書
【補正対象項目名】００３２
【補正方法】変更
【補正の内容】
【００３２】
１つの実施形態に従って、コンビナトリアル・ライブラリーは以下の通りである：
第１の列が基Ｒ1に対応し、この基が以下の基から選ばれ：
イソプロピル；
アリルオキシカルボニルプロピオニル；
第２の列が基Ｒ2に対応し、この基が以下の基から選ばれ：
ジアゾメタン；
ピリジン−２，５−ジカルボン酸２−メチルエステル；
３−ピリジン−２−イル−４，５−ジヒドロイソオキサゾール−５−カルボン酸；
（５−メチル−２，４−ジオキソ−３，４−ジヒドロ−２Ｈ−ピリミジン−１−イル）酢酸；
２−ピラジンカルボン酸；
[４−（２−オキソ−２−ピロリジン−１−イルエチル）ピペラジン−１−イル]酢酸；
【手続補正３】
【補正対象書類名】明細書
【補正対象項目名】００４１
【補正方法】変更
【補正の内容】
【００４１】
‐  「単環式の複素環式の基」という語は、１つまたはそれより多くの環員が酸素、硫黄または窒素原子を表すような、５または６員環から成る飽和または不飽和の基を意味する：従ってかかる複素環式の基は、酸素、窒素または硫黄原子から選ばれる１つまたはそ
れより多くのヘテロ原子が割り込んだ炭素環式の基を意味し、該複素環式の基は酸素、窒素または硫黄原子から選ばれる１つまたはそれより多くのヘテロ原子を有することができ、そしてこれらの複素環式の基が１つより多くのヘテロ原子を有する場合にはこれらの複素環式の基のへテロ原子は同一または異なるものであり得ると理解される。以下の基について特に言及し得る：ジオキソラン、ジオキサン、ジチオラン、チオオキソラン、チオオキサン、モルホリニル、ピペラジニル、最大で４の炭素原子を有する直鎖もしくは分岐鎖のアルキル基で置換されたピペラジニル、ピペリジル、チエニル例えば２−チエニルもしくは３−チエニル、フリル例えば２−フリル、ピリミジニル、ピリジル例えば２−ピリジル、３−ピリジルもしくは４−ピリジル、ピリミジル、ピロリル、チアゾリル、イソチアゾリル、ジアゾリル、チアジアゾリル、トリアゾリル、遊離型もしくは塩形成したテトラゾリル、チアトリアゾリル、オキサゾリル、オキサジアゾリル、または３−もしくは４−イソオキサゾリル。以下の基について最も特に言及し得る：モルホリニル、チエニル例えば２−チエニルまたは３−チエニル、フリル例えば２−フリル、テトラヒドロフリル、テトラヒドロチエニル、ピロリル、ピロリニル、ピリジルおよびピロリジニル；